(57)【特許請求の範囲】
【請求項１】
運搬車の荷台上に搭載可能とした平面形状が方形状で、両側をレールとした台枠フレームと、
両レール上を移動する中央車輪、前車輪と、前記両レールの内側に設けた内側レール上を移動する後車輪を適当間隔毎に備えた容器底板と、
前記両レールの前端部両側方に設けられ、籾殻の運搬時における前車輪の浮き上りを防止する前方規制手段と、両レールの後端部両側に設けられ、籾殻の排出時における中央車輪の外脱を防止する後方規制手段と、
容器底板上に枠組みされた立方構造の収納フレームに装着されるとともに、上部任意箇所に籾殻の供給手段を有し、少なくとも前面を除いた他の面に籾殻を排出する開閉手段を持つ籾殻収納袋と、
容器底板の前端部と台枠フレームの前端部間に連結され、前記中央車輪を支点として傾倒する容器底板の傾倒角度を調整するチェンなどの調整手段と、
からなることを特徴とする籾殻運搬排出装置。
【請求項２】
請求項１に記載の籾殻運搬排出装置において、台枠フレームに、この台枠フレーム上に搭載支持された籾殻収納袋をもつ容器底板の不用意な移動を防止するストッパー手段を設けたことを特徴とする籾殻運搬排出装置。
【請求項３】
請求項１または２に記載の籾殻運搬排出装置において、少なくともストッパー手段に対応する収納フレーム部に、籾殻収納袋の外側方への膨出を阻止するガードフレームを枠組みしたことを特徴とする籾殻運搬排出装置。
【請求項４】
運搬車の荷台上に搭載可能とした平面形状が方形状で、両側をレールとした台枠フレームと、
両レール上を移動する中央車輪と前車輪の移動軌跡を前記レールの内側方に設定するとともに、両レール上を移動する後車輪の移動軌跡を前記レールの外側方に設定した容器底板と、
前記両レールの前端部両側方に設けられ、籾殻の運搬時における前車輪の浮き上りを防止する前方規制手段と、両レールの後端部両内側方に設けられ、前記両レールの領域に位置し、籾殻の排出時における中央車輪の外脱を防止する姿勢と、前記領域から退去して中央車輪の外脱防止を解除する姿勢とに、前記両レールと直交する方向にスライド可能な後方規制手段と、
容器底板上に枠組みされた立方構造の収納フレームに装着されるとともに、上部任意個所に籾殻の供給手段を有し、後面または左側側面に籾殻を排出する開閉手段を設けた籾殻収納袋と、
容器底板の前端部と台枠フレームの前端部間に連結され、前記中央車輪を支点として傾倒する容器底板の傾倒角度を調整するチェンなどの調整手段と、
からなることを特徴とする籾殻運搬排出装置。
【請求項５】
請求項１〜４の何れかに記載の籾殻運搬排出装置において、台枠フレームのレールの後端を運搬車の荷台の後方または左右側の何れかの方向に指向させ、前方を除いた任意方向に籾殻が排出しうるようにしたことを特徴とする籾殻運搬排出装置。
【請求項６】
請求項１又は４に記載の籾殻運搬排出装置において、運搬車の荷台上に搭載設置される台枠フレームとは別個に、容器底板の下面両側に設けた中央車輪、前車輪、後車輪を誘導乗載支持する案内レールを上面両側に設置した荷扱い用台車を設け、容器底板が台枠フレームから荷扱い用台車上に、また荷扱い用台車上から台枠フレーム上に移動設置しうるようにしたことを特徴とする籾殻運搬排出装置。
【請求項７】
請求項６に記載の籾殻運搬排出装置において、荷扱い用台車に設けた案内レールの受け渡し側の端部に、この案内レールと台枠フレームのレールとを連結する接続用レールを起伏可能に設けたことを特徴とする籾殻運搬排出装置。
【発明の詳細な説明】
【０００１】
【発明の属する技術分野】
本発明は、籾殻運搬排出装置に係る技術分野に属する。
【０００２】
【従来の技術のその課題】
従来この種の籾殻運搬排出装置としては、トラクターなどで牽引される２輪構造の台車上に枠組みされたフレームを設け、このフレームに布製の籾殻収納袋を取付けると共に、台車の底板を開閉可能なブラインド構造としたものが知られている。この装置は、底板を閉成した状態で籾殻を収納袋内に収容してトラクターで所定の場所まで搬送せしめ、排出現場で底板をブラインド状に開きながら収容した籾殻を排出又は散布するようにしたものである。
このような構造では、トラクターで牽引される専用の台車を必要とするばかりでなく、底板がブラインド構造であることから籾殻の排出に際し目詰まりが生じて円滑な排出散布ができなかったり、車輪まわりに籾殻が堆積するという不都合がある。
【０００３】
他の装置として、組立て式の枠組みフレームに布製の籾殻収納袋を装着し、これを運搬車の荷台上に搭載し、収納袋の左右側面及び後側面に設けた開閉ファスナーを開いて任意の面又は３方向より籾殻を排出するものがある。
このような装置は構造が簡便ではあるが、側面又は後面を開いただけでは全部の籾殻を放出することができず、荷台面上に残った籾殻を人手により排出する必要があり、効率が悪いという不都合がある。
【０００４】
このような課題を解決する手段として、運搬車の荷台に搭載可能とした方形の台枠フレームの後辺に、布製の籾殻収納容器の後辺下部を軸支し、台枠フレームの前部と収納容器との間に、運搬車の排ガスを利用したエアダンプ方式によって収納容器の前方を持ち上げ、収納容器の後側面を開いて収容籾殻を排出するようにした装置がある。
この装置は、籾殻収納容器をダンプするのに自動車エンジンの排ガスを利用しているため、低コストであることは認められるが、収納容器を傾倒させるまでに多くの時間を要するなど作業性が悪い。
【０００５】
本発明の目的は、籾殻の排出が効率良く行える籾殻運搬排出装置を提供することにある。
【０００６】
【課題を解決するための手段】
上記目的は、運搬車の荷台上に搭載可能とした平面形状が方形状で、両側をレールとした台枠フレームと、両レール上を移動する中央車輪、前車輪と、前記両レールの内側に設けた内側レール上を移動する後車輪を適当間隔毎に備えた容器底板と、前記両レールの前端部両側方に設けられ、籾殻の運搬時における前車輪の浮き上りを防止する前方規制手段と、両レールの後端部両側に設けられ、籾殻の排出時における中央車輪の外脱を防止する後方規制手段と、容器底板上に枠組みされた立方構造の収納フレームに装着されるとともに、上部任意箇所に籾殻の供給手段を有し、少なくとも前面を除いた他の面に籾殻を排出する開閉手段を持つ籾殻収納袋と、容器底板の前端部と台枠フレームの前端部間に連結され、前記中央車輪を支点として傾倒する容器底板の傾倒角度を調整するチェンなどの調整手段と、からなることにより達成される。
【０００７】
上記目的は、請求項１に記載の籾殻運搬排出装置において、台枠フレームに、この台枠フレーム上に搭載支持された籾殻収納袋をもつ容器底板の不用意な移動を防止するストッパー手段を設けたことにより達成される。
【０００８】
上記目的は、請求項１または２に記載の籾殻運搬排出装置において、少なくともストッパー手段に対応する収納フレーム部に、籾殻収納袋の外側方への膨出を阻止するガードフレームを枠組みしたことにより達成される。
【０００９】
上記目的は、運搬車の荷台上に搭載可能とした平面形状が方形状で、両側をレールとした台枠フレームと、両レール上を移動する中央車輪と前車輪の移動軌跡を前記レールの内側方に設定するとともに、両レール上を移動する後車輪の移動軌跡を前記レールの外側方に設定した容器底板と、前記両レールの前端部両側方に設けられ、籾殻の運搬時における前車輪の浮き上りを防止する前方規制手段と、両レールの後端部両内側方に設けられ、前記両レールの領域に位置し、籾殻の排出時における中央車輪の外脱を防止する姿勢と、前記領域から退去して中央車輪の外脱防止を解除する姿勢とに、前記両レールと直交する方向にスライド可能な後方規制手段と、容器底板上に枠組みされた立方構造の収納フレームに装着されるとともに、上部任意個所に籾殻の供給手段を有し、後面または左側側面に籾殻を排出する開閉手段を設けた籾殻収納袋と、容器底板の前端部と台枠フレームの前端部間に連結され、前記中央車輪を支点として傾倒する容器底板の傾倒角度を調整するチェンなどの調整手段と、からなることにより達成される。
【００１０】
上記目的は、請求項１〜４の何れかに記載の籾殻運搬排出装置において、台枠フレームのレールの後端を運搬車の荷台の後方または左右側の何れかの方向に指向させ、前方を除いた任意方向に籾殻が排出しうるようにしたことにより達成される。
【００１１】
上記目的は、請求項１又は４に記載の籾殻運搬排出装置において、運搬車の荷台上に搭載設置される台枠フレームとは別個に、容器底板の下面両側に設けた中央車輪、前車輪、後車輪を誘導乗載支持する案内レールを上面両側に設置した荷扱い用台車を設け、容器底板が台枠フレームから荷扱い用台車上に、また荷扱い用台車上から台枠フレーム上に移動設置しうるようにしたことにより達成される。
【００１２】
上記目的は、請求項６に記載の籾殻運搬排出装置において、荷扱い用台車に設けた案内レールの受け渡し側の端部に、この案内レールと台枠フレームのレールとを連結する接続用レールを起伏可能に設けたことにより達成される。
【００１３】
【発明の実施の形態】
図１〜図４について、本発明装置の実施の形態（１）を説明する。
【００１４】
１は、運搬車２の荷台３上に搭載保定可能とした平面形状が方形状で、図２に示すように両側フレームをレール４とした台枠フレームである。５は、容器底板で、この容器底板５の両側下面、詳しくは、荷台３の両側に対応する下面に、前記レール４上に移動可能に乗載された中央車輪６、前車輪７が適当の間隔を介して設けられている。８は容器底板５の後側下面に設けた後車輪で、この後車輪８は前記レール４の後部内側に付設した短尺の内側レール９上に移動可能の乗載せしめられ、中央車輪６と前車輪７はレール４上を、後車輪８は内側レール９上を移動するようにしたものである。
【００１５】
前記両レール４の前端部外側方には、籾殻の運搬姿勢時、詳しくは、図１に示す姿勢時において、前車輪７の浮き上り脱線を防止する正面形状が「形をした前方規制板１０を設け、又両レール４の後端部外側に、排出姿勢時、詳しくは、図３に示す排出姿勢時において、中央車輪６の外脱を防止する正面形状が「形で、而も後端面に脱輪防止板１１ａを設けた後方規制板１１を付設する。図３に示すように、前記各車輪６、７、８は、正面形状が「形をした脚桿１２の垂直辺に軸支され、中央車輪６と前車輪７は脚桿１２の外側面に、後車輪８は脚桿１２の内側面に軸支されており、異なった軸線を持つレール４と内側レール９上を各別に移動するように構成されている。図中１３は、前記両規制板７、１１間に設けられ、中央車輪６、前車輪７の外側方への脱輪を阻止し、各車輪を円滑に案内するガイド板、１４は断面形状がＬ字形で、容器底板５の後面を除いた三方に付設された補強フレームである。
【００１６】
１５は、前記容器底板５上に枠組みされた立方構造の収納フレームであって、この収納フレーム１５の内方には、上部任意個所、この実施の形態では後面上部に開閉可能な籾殻の供給口１６と、後面両側縦方向に開閉可能なファスナー１７を持ち、かつこのファスナー１７の開成により後面が図３で示すように一挙に開成される開口１８を備えた籾殻収納袋１９が着脱可能に装着されている。尚、この籾殻収納袋１９は通常有底構造であるが、底面が前記容器底板５と兼用できる場合は、籾殻収納袋１９の底面は省略しうる。図中２０は水平姿勢のサイドフレーム、２１は傾斜姿勢のフレーム、２２は、後述するストッパーアームの不用意な解除を防止するためのガードフレームである。
【００１７】
前記断面形状がＬ字形の補強フレーム１４の前辺側中央部と、前記台枠フレーム１の前辺側中央部間とを長さが調整しうるチェン２３で連結し、図３で示すように、収納フレーム１５が後方に傾倒したときに、容器底板５の後端が接地するのを防止すると共に、傾斜角度を任意に選択し、籾殻の性状に応じて排出が円滑に行えるように角度を調整するようにしたものである。
【００１８】
図４に示す２４は、前記後方規制板１１の外側に後端を固定した傾斜姿勢で適度の弾力性を有するストッパーアームで、このストッパーアーム２４の上端には、内方に向け突出した係合ピン２５を下端にもつ操作レバー２６を設け、一方、係合ピン２５が係合する係合孔２７を前記補強フレーム１４の一側に設け、籾殻の運搬時において、台枠フレーム１上に搭載した収納フレーム１５などが不用意に前後移動し、運搬車２の荷台３から脱落する事故を未然に防止するようにしたものである。又、前記ガードフレーム２２はこのストッパーアーム２４の操作レバー２６部に対応するように配設してあり、籾殻収納袋１９の下部が籾殻の投入によって外方に膨出し、不用意に操作レバー２６を外方に押圧して係合ピン２５）と係合孔２７の係止関係を解除することを防止せしめる。
【００１９】
台枠フレーム１の前後端外側方、詳しくは、前方、後方規制板１０、１１の外側方部に保定用のポール２８の下端部を立設し、この各ポール２８の上部にロープフック２９を設け、これと運搬車２の荷台３に装備されているフックとの間に保定用のロープを掛け回し、本装置を荷台３上に確固に保定するようにしたものである。
【００２０】
【作用の説明】
上述した構成に基づいて本発明装置の作用を説明する。
運搬車２の荷台３上に装置を搭載し、各ポール２８と荷台３とをロープによって結合する。供給口１６を開きこれにスロワーなどの供給筒を挿入して籾殻を投入収納した後、運搬車２を籾殻排出現場に運行する。次いで、荷台３の後部側板を開いて荷台３の後方を開放してから、籾殻収納袋１９の両ファスナー１７をスライドして開口すると、多くの籾殻が流動排出される。この時、運搬車２の徐行運転をすると、籾殻は略均等に散布されるし、或は一箇所に堆積状に排出されるが、袋の中の籾殻は安息角まで排出され、残りの籾殻は排出されない。この状態で操作レバー２６を手動によって外側方に開いて係合ピン２５と係合孔２７の係止関係を解除し、収納フレーム１５を含む機構をフリーとした後、各車輪６、７、８を介して荷台３の後方に引き出す。中央車輪６が後方規制板１１の脱輪防止板１１ａに当接するまで引き出すと、収納フレーム１５を含む機構が図３に示すように１人の作業者で簡単に下向き傾斜させることができる。このことは容器底板５が後方に下向きされる結果となり、残存せる籾殻を残すことなく排出しうる。
【００２１】
籾殻が前部排出されたら、手動によって収納フレーム１５などを水平姿勢に戻し、前方に押動すれば図１の状態に復旧される。このとき、ストッパーアーム２４に弾性があるため操作レバー２６の係合ピン２５と係止孔２７が自動的に係合し収納フレーム１５などは台枠１に不動的に係合される。開口用ファスナー１７を元に戻して開口１８を閉じた後、荷台３の後部側板を復旧起立させることにより籾殻の廃棄作業は終る。必要あれば上述の作業を繰り返し行う。
【００２２】
次に、図５〜図１４について、本発明装置の実施の形態（２）を説明する。この図において、前記実施の形態（１）と同一構造部分については同一の符号を付すことにより詳細な説明は省略する。
【００２３】
図５〜図１１は、実施の形態（１）で示した台枠フレーム１と容器底板５の別構成を示している。即ち、台枠フレーム１の両側に形成されたレール４を広巾に構成するとともに、上向きチャンネル型構造として各車輪の脱輪を防止するようにしてある。このレール４の内側上に容器底板５の両側下面にとりつけた中央車輪６と前車輪７が移動走行しうるようにし、レール４の外側上に後車輪８が移動走行しうるようにしたもので、実施の形態（１）に示す移動車輪８が移動する内側レール９の付設を省略したものである。
【００２４】
前記レール４の後側端部の外側上には、図９で示すように後車輪８の通過を許すとともに、この後車輪８の浮き上がり防止板５０を設ける。又レール４の後端部と直交するように配設された台枠フレーム１のフレームに、脱輪防止ストッパ５１をそれぞれレール４の内直角方向へ左右にスライド可能に設け、この脱輪防止ストッパ５１の後面に、籾殻の排出時に傾倒する容器底板５の中央車輪６の移動を阻止する脱輪防止板５２の基部を固定し、脱輪防止ストッパ５１の上面に、排出姿勢における中央車輪６の浮き上がり防止板５３の基部を固定する。図中５４は、フレームに固定した脱輪防止ストッパ５１のスライドストローク、詳しくは、脱輪防止板５２と浮き上がり防止板５３をレール４の領域に臨ませる姿勢と、この領域から退去させるに必要な脱輪防止ストッパ５１のストロークを規制するための規制板である。
【００２５】
図１０は、容器底板５を台枠フレーム１に連脱可能に固定し、台枠フレーム１に対して容器底板５が不用意に移動、詳しくは、運搬車による籾殻の移送時における脱落事故を防止する固定手段を示している。
【００２６】
容器底板５の前縁部一側に、発条５５aにより常に下方に付勢された操作ストッパ５５を垂設せしめ、一方、台枠フレーム１を構成する前方のフレーム一側に、前方に向け上向き傾斜した係止板５６を前記操作ストッパ５５に対向的に設けるとともに、係止板５６にフレームの軸線にそった横長の係止孔５７を形成したもので、容器底板５を排出姿勢から搬送姿勢に戻すときに、前車輪７が台枠フレーム１に当接する近傍で、操作ストッパ５５の下端が、発条５４の弾力に抗して係止板５６の傾斜にそって誘導上昇しながら、自動的に係止孔５７に挿嵌し、発条５４の作用で操作ストッパ５５の下端がフレームの上面に当接するまで下降し、この作用で容器底板５は台枠フレーム１に連結固定される。
【００２７】
次に、図１２，図１３について、実施の形態（３）を説明する。この実施の形態（３）は、実施の形態（１），（２）の容器底板（５）を乗載支持する荷扱い用台車に係るもので、その詳細を説明する。
【００２８】
５８は、４隅部下面にキャスター５９を設けた枠組み立方構造の台車本体であって、この台車本体５８の両側上部には前述した台枠フレーム１のレール４に通ずる上向きチャンネル構造の案内レール６０をそれぞれ配設する。この両案内レール６０の後端に後車輪８の脱輪を防止する後部ストッパ６１を付設するとともに、両案内レール６０の前端には、この案内レール６０と前記台枠フレーム１のレール４を連結する短尺の接続用レール６２が起伏可能に設けられている。この接続用レール６２の先端部下面には、台枠フレーム１を構成するレール４の後端部に形成した連結孔６３に係合連結するピン６４が設けてある。
【００２９】
荷扱い用台車の台車本体５８を構成する案内レール６０の軸線方向と直交する前部上方のフレームの一側には、レバー６５をもつストッパ６６が起伏可能に軸支されている。このストッパ６６が起立したときに、前記容器底板５の前部一側に設けた操作ストッパ５５の下端がストッパ６６の内面に当接係止され、案内レール６０上に乗載支持された容器底板５の脱落事故が防止されるようにしたものである。
【００３０】
荷扱い用台車の台車本体５８には、次のような作用を有する。本発明装置は、籾摺機で生じた籾殻を収容し、これを例えば圃場などに搬送し肥料用として排出するものであるが、籾殻収納袋１９に籾殻を一杯にするには数時間を要する。この間籾殻収納袋１９を運搬車２の荷台３上に搭載したままとすることは、この間運搬車２を他の目的に使用することができないという不都合がある。そこで、空の籾殻収納袋１９をもつ容器底板５を、籾摺りの間荷扱い用台車の台車本体５８に預け、その間運搬車２を他の目的に使用しうるようにしたものである。
【００３１】
荷扱い用台車の台車本体５８を運搬車２の荷台３に近接させ、接続用レール６２のピン６４を台枠フレーム１のレール４端に設けた連結孔６３に係合連結して、レール４と案内レール６０とを直線状とする。次いで台枠フレーム１上の容器底板５を荷扱い用台車の台車本体５８の案内レール６０上に移乗させ、容器底板５に設けた操作ストッパ５５の下端部をストッパ６６に係合させることにより、容器底板５は荷扱い用台車の台車本体５８上に移される。
【００３２】
籾殻収納袋１９に籾殻が一杯になり、これを運搬車２に搭載して搬送するときには、接続用レール６２のピン６４を荷台３上に搭載設置されている台枠フレーム１の連結孔６３に結合させ、レール４と案内レール６０を直線状に接続した状態で、荷扱い用台車の台車本体５８上の容器底板５を台枠フレーム１上に移乗させる。そして籾殻を運搬車２で搬送し、籾殻を廃棄処分する。
【００３３】
図１４について、実施の形態（４）を説明する。
実施の形態（１），（２）は、運搬車２の荷台３の後方に向け容器底板５を傾倒し籾殻を排出する構成を示したが、実施の形態（４）は荷台３の側方に容器底板５が傾倒しうるようにしたものである。
【００３４】
運搬車２が走行しうる圃場の道路条件として、荷台３の後方から籾殻が排出しうる場合と、排出し得ない場合がある。このとき、荷台３の側方から籾殻を排出しうるようにすることは実際に有用なことである。籾殻運搬装置の構成を変えることなく、単なる形状寸法的な変更により容易になしうるものである。尚、図５，図６，図１４に示す６７は、これに設けたゴムハンド６８により収納フレーム１５にかけ止めされる軟質材料よりなるエプロンシートで、籾殻の運搬中、籾殻収納袋１９に収納した籾殻が開口部から不用意に漏出するのを防止するようにしたものである。
【００３５】
【発明の効果】
上述のように本発明構成によれば、次のような効果が得られる。
【００３６】
台枠フレームの両側をレールとし、この両レール上を移動する車輪を前、後、中央に設けると共に、両レールの前後端に規制板を配設したことにより、後車輪を除いた他の車輪の脱線が規制され、而も中央車輪を支点とした収納フレームを含む機構の後部を引き出し下向き傾斜せしめ、収納籾殻の全排出を可能とし作業性の向上が図れる。
【００３７】
容器底板の下向き傾斜角度が任意に調整しうると共に、容器底板の後端縁の接地による損傷を防止することができる。
【００３８】
台枠フレームに対して、容器底板が係止しうるので、運搬中に収納フレームを含む機構が不用意に移動し事故を起こすことがない。
【００３９】
請求項３によれば、ストッパーに対応する収納フレームに、籾殻収納袋の外側方への膨出を阻止するガードフレームを枠組みしたので、ストッパー手段が不用意に解除され、台枠フレームに対して、容器底板を含む機構がフリーに移動することがなく、運搬中の安全が図れる。
【００４０】
請求項５によれば、圃場道路条件に応じ、運搬車の荷台の側方又は後方の任意の側に容器底板を傾倒し籾殻を排出することができる。
【００４１】
請求項６によれば、籾殻収納袋に籾殻を収納するに際し、容器底板を一時的に荷扱い用台車上に預け、籾摺り時間中運搬車を他の目的に有効に使用することができる。
【００４２】
運搬車の荷台上の台枠フレームと荷扱い用台車の案内レールとが接続用レールによって直線状に連結しうるので、容器底板の移動が円滑確実に、しかも容易に行え、籾殻処理効率の向上が図れる。
【図面の簡単な説明】
【図１】荷台に搭載した実施の形態（１）の一部切欠側面図である。
【図２】図１の後面図である。
【図３】収納フレームなどの傾倒状態を示す一部切欠側面図である。
【図４】ストッパー機構部を示す一部の拡大断面図である。
【図５】実施の形態（２）を示す荷台に搭載した状態の一部切欠側面図である。
【図６】図５の後面図である。
【図７】収納フレームの斜視図である。
【図８】台枠フレームの斜視図である。
【図９】台枠フレームの一部の拡大図である。
【図１０】台枠フレームの一部の拡大図である。
【図１１】台枠フレームの一部の平面図である。
【図１２】実施の形態（３）を示す荷扱い用台車の斜視図である。
【図１３】荷扱い用台車上に収納フレームを乗載した状態の斜視図である。
【図１４】実施の形態（４）を示す荷台に搭載した状態の後面図である。
【符号の説明】
１  台枠フレーム
４  レール
５  容器底板
６  前車輪
７  中央車輪
８  後車輪
９  内側レール
１８  開口
１９  籾殻収納袋
２３  チェン
２６  操作レバー
５５  操作ストッパ
５８  荷扱い用台車の台車本体
６０  案内レール
６２  接続用レール
６３  連結孔
６４  ピン
６５  ストッパ
【図１】
0004571249.tif 000002
【図２】
0004571249.tif 000003
【図３】
0004571249.tif 000004
【図４】
0004571249.tif 000005
【図５】
0004571249.tif 000006
【図６】
0004571249.tif 000007
【図７】
0004571249.tif 000008
【図８】
0004571249.tif 000009
【図９】
0004571249.tif 000010
【図１０】
0004571249.tif 000011
【図１１】
0004571249.tif 000012
【図１２】
0004571249.tif 000013
【図１３】
0004571249.tif 000014
【図１４】
0004571249.tif 000015